(57)【要約】  【課題】ロール状に巻き取った状態の支持対象物を支持可能なケースにおいて、支持対象物が垂れることや自重で圧縮されることにより該支持対象物が変形し外観を損ねる不具合やケースから引き出しにくくなる不具合の発生を抑えるべく、支持対象物の形状を保持させる。  【解決手段】ロール状に巻き取った状態の支持対象物たるシート糊９を内部に収納可能な収納空間２ｓを有するケース本体２と、このケース本体２に支持されつつ前記シート糊９を支持する支持体たる支持フィルム３とを具備し、前記支持フィルム３が、前記収納空間２ｓ内に配され、シート糊９の荷重を受けて該シート糊９の下側周面９ａに該シート糊９の幅寸法全域にわたって密着した状態を保つべく変形可能な支持面３３ａを有する構成を採用する。  【選択図】図５
2008081131.tif 000002
【特許請求の範囲】
【請求項１】
ロール状に巻き取った状態の支持対象物を内部に収納可能な収納空間を有するケース本体と、このケース本体に支持されつつ前記支持対象物を支持する支持体とを具備し、前記支持体が、前記収納空間内に配され、支持対象物の荷重を受けて該支持対象物の下側周面に該支持対象物の幅寸法全域にわたって密着した状態を保つべく変形可能な支持面を有することを特徴とするケース。
【請求項２】
前記ケース本体が、前記支持体の前端部を支持する前壁、及び前記支持体の後端部を支持する後壁を有するものであって、前記前壁及び後壁にフィルム状をなす前記支持体を吊持させていることを特徴とする請求項１記載のケース。
【請求項３】
前記支持体を前記支持対象物の荷重を受けた際に変形可能にしているとともに、前記前壁及び後壁のいずれか一方を支持対象物の荷重を受けて前記支持体に追従し変形可能にしていることを特徴とする請求項２記載のケース。
【請求項４】
フィルム状をなす前記支持体を前記前壁及び後壁の上端部に掛け回して吊持させているものであって、前記支持体の表面を利用して前記前壁及び後壁のいずれか一方の上方に支持対象物の切断線を案内する案内部を設けていることを特徴とする請求項２又は３記載のケース。
【請求項５】
前記案内部を、ケース本体の上端縁よりも下方に設けていることを特徴とする請求項４記載のケース。
【請求項６】
前記支持体が、ポリエチレンテレフタラート製のフィルム状のものであることを特徴とする請求項１、２、３、４又は５記載のケース。
【請求項７】
１枚の紙製シートを折り曲げて前記ケース本体を形成していることを特徴とする請求項１、２、３、４、５又は６記載のケース。
【請求項８】
支持対象物の左右両端部にそれぞれ対向する左右両端壁の内部に、紙製シートを折り返して形成した補強部を設けていることを特徴とする請求項７記載のケース。
【請求項９】
前記支持対象物が、シート状の基材上に粘着層を形成したものをロール状に巻き取ったものであることを特徴とする請求項１、２、３、４、５、６、７又は８記載のケース。
【発明の詳細な説明】
【技術分野】
【０００１】
本発明は、ロール状をなす支持対象物を保持可能なケースに関する。
【背景技術】
【０００２】
従来、ロール状をなす支持対象物を保持するケースとして、例えば、支持対象物を前下方に傾斜する傾斜面である底面に載置し、支持対象物を引き出すにつれて支持対象物の自重により支持対象物が引き出し口に接近する構成のものや、円弧面である底面を有し、この底面に支持対象物を載置させてなる構成のものも知られている。（例えば、特許文献１又は２を参照。）
【特許文献１】実公昭６１−１４９７４号公報
【特許文献２】実開平５−３５６６１号公報
【発明の開示】
【発明が解決しようとする課題】
【０００３】
しかし、基材の一表面にドット状に粘着剤を塗布して粘着層を形成したシート糊をロール状に巻いたもの等、密でない支持対象物の場合、前記特許文献１、２記載の構成では次のような不具合が発生し得る。
【０００４】
前記特許文献１記載の構成では、ケースに保持させた状態では、支持対象物の下端部に自重が集中して圧縮されるので、支持対象物が円筒状でなくいびつな形状となることがある。すると、支持対象物をケースから引き出す際に、支持対象物の動きがスムーズでなくなる不具合が発生し得る。さらに、支持対象物が、基材の一表面の略全体にドット状の粘着層を配してなるものの場合、このように支持対象物が圧縮されると、粘着層をなす粘着剤が押しつぶされ、粘着層が不均一になる不具合が発生し得る。
【０００５】
一方、前記特許文献２の構成では、ケース内に保持させた当初はケースの底面と支持対象物の下部周面とが密着するので、支持対象物の自重が均一にケースの底面に作用し上述した不具合の発生は起こりにくくなる。しかし、支持対象物を引き出すにつれて支持対象物の径が小さくなり、支持対象物の下端だけがケースの底面に密着するので、支持対象物の下端部のうち前記密着する部位に自重が局所的に集中することによる圧縮変形が生じ、支持対象物をある程度引き出した後は上述した不具合がやはり発生しうる。さらに、この構成では、支持体は支持対象物の幅方向中央近傍のみを支持しているので、支持対象物の幅方向両端部が下方に垂れてしまうことにより支持対象物が円筒状でなくいびつな形状となり、外観が損なわれる別の不具合も発生し得る。
【０００６】
本発明は、以上に述べた課題を解決すべく構成するものである。
【課題を解決するための手段】
【０００７】
すなわち本発明に係るケースは、ロール状に巻き取った状態の支持対象物を内部に収納可能な収納空間を有するケース本体と、このケース本体に支持されつつ前記支持対象物を支持する支持体とを具備し、前記支持体が、前記収納空間内に配され、支持対象物の荷重を受けて該支持対象物の下側周面に該支持対象物の幅寸法全域にわたって密着した状態を保つべく変形可能な支持面を有することを特徴とする。
【０００８】
このようなものであれば、支持体の支持面に支持対象物の下側周面を幅方向全域にわたって密着させることにより、支持対象物の形状を保持させることができる。しかも、この支持面が支持対象物の荷重により変形するので、支持対象物が引き出された後も支持面が支持対象物の下側周面に密着している状態を保ち、より長い間支持対象物の形状を保持させることができる。なお、本発明において、「ケース」とは、支持対象物を収納可能な箱状のものに限らず、支持対象物を引き出す際に支持対象物を一時的に保持する装置等、支持対象物を収納空間内に保持可能なもの全般を含む概念である。
【０００９】
このようなケースの軽量化に有効な態様として、前記ケース本体が、前記支持体の前端部を支持する前壁、及び前記支持体の後端部を支持する後壁を有するものであって、前記前壁及び後壁にフィルム状をなす前記支持体を吊持させているものが挙げられる。このようなものであれば、フィルム状の支持体は支持対象物の荷重に耐えられる程度の強度を有しておればよく、そのような強度を保てる範囲で可及的に薄くすることができるからである。
【００１０】
特に、このようなケースを有効に実現できる有効な態様の一例として、前記支持体を前記支持対象物の荷重を受けた際に変形可能にしているとともに、前記前壁及び後壁のいずれか一方を支持対象物の荷重を受けて前記支持体に追従し変形可能にしているものが挙げられる。このようなものであれば、支持対象物が引き出されて支持対象物の量が減少した場合に、支持体が支持対象物の荷重を受けて変形するとともに、前記前壁及び後壁のいずれか一方も前記支持体に追従して変形することにより、前記前壁と後壁との間の距離を変化させ、支持体の支持面を支持対象物の下側周面により広い面積で密着させることができるからである。
【００１１】
また、このようなケースを破損しにくくする態様として、フィルム状をなす前記支持体を前記前壁及び後壁の上端部に掛け回して吊持させているものであって、前記支持体の表面を利用して前記前壁及び後壁のいずれか一方の上方に支持対象物の切断線を案内する案内部を設けているものが挙げられる。このようなものであれば、前壁及び後壁のいずれか一方の上方に切断のための刃を設ける態様と比較して、刃がケース本体に当接して当接箇所に不必要な切れ目が入ることによりケース本体が破損する不具合は発生しないからである。その上で、前記案内部の延伸方向に沿ってカッターナイフ等の切断具を移動させるようにし、支持対象物の切断線を案内させるようにできる。
【００１２】
さらに、支持対象物のケースからの引き出しをロール状に巻き取った支持対象物の内側の面を上向きにしつつ容易に行うことができるようにするための態様として、前記案内部を、ケース本体の上端縁よりも下方に設けているものが挙げられる。このようなものであれば、支持対象物は下側から引き出されるので、支持対象物の引き出し端から案内部までの距離を短くできるからである。
【００１３】
一方、支持対象物のケースからの引き出しを容易に行うようにするための態様として、ポリエチレンテレフタラート製のフィルム状のものも挙げられる。このようなものであれば、支持対象物が支持面上を滑りやすくなるからである。
【００１４】
最小限の部品点数によりこのようなケースを形成するための態様として、１枚の紙製シートを折り曲げて前記ケース本体を形成しているものが挙げられる。
【００１５】
そして、支持対象物の左右両端部にそれぞれ対向する左右両端壁内部に、紙製シートを折り返して形成した補強部を設けているものであれば、このようなケースを立てて収納する際に、左右両端壁が支持対象物の荷重により変形する不具合、及び自重により支持対象物の幅方向位置がずれる不具合を解消できる。
【００１６】
加えて、このようなケースを好適に使用できる態様として、前記支持対象物が、シート状の基材上に粘着層を形成したものをロール状に巻き取ったものであるものが挙げられる。このような支持対象物をロール状に巻き取る場合、密に巻き取ることが少なく、従って支持対象物の下部が自重で圧縮される不具合や支持対象物が自重で垂れてしまう不具合が特に発生しやすいからである。
【発明の効果】
【００１７】
本発明に係るケースによれば、支持体の支持面に支持対象物の下側周面を密着させることにより、支持対象物の形状を均一に保持させることができる。しかも、この支持面が支持対象物の荷重により変形するので、支持対象物が引き出された後も支持面が支持対象物の下側周面に密着している状態を保ち、より長い間支持対象物の形状を保持させることができる。
【発明を実施するための最良の形態】
【００１８】
以下、本発明の一実施形態を、図面を参照して説明する。
【００１９】
本実施形態に係るケース１は、図１〜図６にそれぞれ示すように、ロール状に巻き取った状態の支持対象物であるシート糊９の収納に主に用いられ、このシート糊９を内部に収納可能な収納空間２ｓを有するケース本体２と、このケース本体２に支持されつつ前記シート糊９を支持する支持体たる支持フィルム３とを具備する。ここで、シート糊９は、シート状の基材上に粘着層を形成したものであって、粘着層を形成する粘着剤を基材上から糊付けすべき対象物に転写させて使用するものである。また、基材の粘着層を形成した側と反対側の面には、ロール状に巻き取った際に粘着剤が基材に接着することを防ぐべく剥離加工が施してある。ここで、前記図１はシート糊９を収納した状態の全体斜視図、前記図２はシート糊９を収納していない状態の全体斜視図、前記図３はシート糊９を収納していない状態の平面図、前記図４はシート糊９を収納していない状態の正面図、前記図５は前記図３におけるｘ−ｘ断面図、前記図６は図４におけるｙ−ｙ断面図である。但し、前記図５には、シート糊９を収納した状態のもので、該シート糊９を想像線により示している。
【００２０】
前記ケース本体２は、図７に示すような形状の１枚のボール紙を屈曲させて形成している。具体的には、この図７において、太実線は切断線、細実線は折り曲げ線であり、太実線に沿ってボール紙を切り抜いた後、細実線に沿って９０度ずつ屈曲させることにより形成している。具体的には、ケース本体２として組み立てた状態で、前記図１〜図６に示すように、このケース本体２の底面を形成する底壁２１と、この底壁２１の前端から起立して設けられる前壁２２と、前記底壁２１の後端から起立して設けられる後壁２３と、前記底壁２１の左右両端からそれぞれ起立して設けられ、前記前壁２２及び前記後壁２３の左端部間及び右端部間をそれぞれ接続する左側壁２４及び右側壁２５と、これら前壁２２、後壁２３、左側壁２４、右側壁２５、及び底壁２１により区成されて上方に開口し内部に前記支持フィルム３及びシート糊９を収納可能な前記収納空間２ｓと、この収納空間２ｓの上方に配されて該収納空間２ｓを外部空間から隠蔽可能な蓋体２６とを有する。
【００２１】
さらに詳述すると、前記前壁２２は、前記図３〜図６に示すように、前記底壁２１の前端から起立する前外面部２２１と、この前外面部２２１の上端から後方に延伸してこの前壁２２の上端を形成する上面部２２２と、この上面部２２２の後端から下方に延伸して前記収納空間２ｓの底面に達する前内面部２２３と、この前内面部２２３の下端から後方に延伸して前記底壁２１に添接する舌部２２４とを具備する。また、前記前外面部２２１には、前記支持フィルム３の後述する前取付舌部３１１を挿入可能に切り込み２２１ｘが設けてあり、前記前取付舌部３１１をこの切り込み２２１ｘに挿入させることにより支持フィルム３の抜け止めを行う抜け止め機構を形成している。さらに、この前壁２２のうち、両側端部、具体的には前記左側壁２４及び右側壁２５の厚さ寸法に対応する部位以外は、上縁部の高さ位置をこのケース１の上端よりも下方にしている。詳述すると、この前壁２２には、前記左側壁２４の内面に略対応する幅方向位置に左端縁、前記右側壁２５の内面に略対応する幅方向位置に右端縁を有し、さらにこの前壁２２の下縁に平行に延伸する下端縁を有する切り欠きを設け、この切り欠きの上縁から支持対象物であるシート糊９を引き出すようにしている。
【００２２】
前記左側壁２４は、前記図３〜図６に示すように、前記底壁２１の左端から起立する左外面部２４１と、この左外面部２４１の上端から右側に延伸し、この左側壁２４１の上端を形成する上面部２４２と、この上面部２４２の右端から下方に延伸して前記収納空間２ｓの底面に達する左内面部２４３と、この左内面部２４３と前記左外面部２４１との間に設けられる補強部２４４と、この左内面部２４３の下端から右方に延伸して前記底壁２１に添接する舌部２４５とを具備する。前記補強部２４４は、１枚のボール紙を９０度ずつ折り返すことにより形成していて、前記左内面部２４３の一端部、本実施形態では後端部から前記左外面部２４１に向けて延伸する補強部後壁２４４ａと、この補強部後壁２４４ａの左端部から前記左外面部２４１の前後方向略中央まで延伸する補強部外壁２４４ｂと、この補強部外壁２４４ｂの前端部から前記左内面部２４３の前後方向略中央まで延伸する補強部前壁２４４ｃと、この補強部前壁２４４ｃの右端部から前記左内面部２４３の後端近傍まで延伸する補強部内壁２４４ｄとを具備する。すなわち、この補強部の補強部前壁２４４ｃは、この左側壁２４の前後方向中央においてこの左側壁２４の厚み方向の略全域、すなわち左外面部２４１から左内面部２４３までにわたって存在している。
【００２３】
前記右側壁２５は、前記図３〜図６に示すように、前記底壁２１の右端から起立する右外面部２５１と、この右外面部２５１の上端から左側に延伸し、この右側壁２５１の上端を形成する上面部２５２と、この上面部２５２の左端から下方に延伸して前記収納空間２ｓの底面に達する右内面部２５３と、この右内面部２５３と前記右外面部２５１との間に設けられる補強部２５４と、この右内面部２５３の下端から左方に延伸して前記底壁２１に添接する舌部２５５とを具備する。前記補強部２５４は、１枚のボール紙を９０度ずつ折り返すことにより形成していて、前記右内面部２５３の一端部、本実施形態では後端部から前記右外面部２５１に向けて延伸する補強部後壁２５４ａと、この補強部後壁２５４ａの右端部から前記右外面部２５１の前後方向略中央まで延伸する補強部外壁２５４ｂと、この補強部外壁２５４ｂの前端部から前記右内面部２５３の前後方向略中央まで延伸する補強部前壁２５４ｃと、この補強部前壁２５４ｃの左端部から前記左内面部２５３の後端近傍まで延伸する補強部内壁２５４ｄとを具備する。すなわち、この補強部の補強部前壁２５４ｃは、この右側壁２５の前後方向中央においてこの右側壁２５の厚み方向の略全域、すなわち右外面部２５１から右内面部２５３までにわたって存在している。
【００２４】
前記後壁２３は、前記図３〜図６に示すように、前記左側壁２４の後端から延伸して設けた左後壁要素２３１と、前記右側壁２５の後端から延伸して設けた右後壁要素２３２とを具備し、ボール紙１枚分のみの厚さ寸法を有するとともに、前記左後壁要素２３１と、前記右後壁要素２３２とを切り込みを利用して設けた接合部２３ａにより接合している。すなわち、この後壁２３は前記前壁２２及び左右両側壁２４、２５よりも厚さ寸法を小さくしているとともに、前記接合部２３ａでこれら左後壁要素２３１と前記右後壁要素２３２とがなす角度を変化可能にしている。また、この後壁２３には、前記支持フィルム３の後述する後取付舌部３４１を挿入可能に切り込み２３ｘが設けてあり、前記後取付舌部３４１をこの切り込み２３ｘに挿入させることにより支持フィルム３の抜け止めを行う抜け止め機構を形成している。
【００２５】
前記蓋体２６は、前記図３及び図４に示すように、前記底壁２１の後端から延伸して設けられ、閉止状態において前記後壁２３の後方に対向する後蓋部２６１と、閉止状態において収納空間２ｓの上方に位置する上蓋部２６２と、閉止状態において前記前壁２２の前方に対向する前蓋部２６３と、このケース本体２の下前縁部、すなわち前記２２の下縁に設けた蓋受切り込み２２ｙに挿入可能な舌部２６４とを有する。
【００２６】
前記支持フィルム３は、図８に示すような形状の１枚のポリエチレンテレフタラート（ＰＥＴ）製フィルムを屈曲させて形成していて、ケース本体２に取り付けてなる。すなわち、前記図１〜図６に示すように、ケース本体２の前壁２２の前面に添接する前取付部３１と、この前取付部３１の上端から後方に延伸してなりケース本体２の前壁２２の上縁を被覆する案内面部３２と、この案内面部３２の後端から前記ケース本体２の後壁２３の上端まで延伸するとともに、ロール状のシート糊９の荷重を受ける支持面部３３と、この支持面部３３の後端から下方に延伸しケース本体２の後壁２３の後面に添接する後取付部３４とを一体に有する。すなわち、この支持フィルム３は、前記ケース本体２の前壁２２及び後壁２３に前取付部３１及び後取付部３４を掛け回して吊持させている。また、前記案内面部３２の後縁を、シート糊９の切断面を案内する案内部３２ａとしている。さらに、前記前取付部３１の先端部には、前記前壁２２に設けた切り込み２２３ｘに挿入可能な前取付舌部３１１を設けている。加えて、前記後取付部３４の先端部には、前記後壁２３に設けた切り込み２３ｘに挿入可能な後取付舌部３４１を設けている。これら前取付舌部３１１及び後取付舌部３４１には、その基端部に前記切り込み２２３ｘ、２３ｘの幅寸法よりも大きい幅寸法に形成した鍔部３１１ａ、３４１ａを設けていて、これら鍔部３１１ａ、３４１ａを前記切り込み２２３ｘ、２３ｘ側方の部分に添接させることによりこの支持フィルム３の抜け止めを図るようにしている。
【００２７】
しかして本実施形態では、前記図５に示すように、前記支持フィルム３の支持面部３３の表面が、前記収納空間２ｓ内に配され、シート糊９の荷重を受けて該シート糊９の下側周面９ａに該シート糊９の幅寸法全域にわたって密着した状態を保つべく変形可能な支持面３３ａである。
【００２８】
さらに詳述すると、前記ケース本体２の前壁２２及び後壁２３に、この支持フィルム３の前取付部３１及び後取付部３４をそれぞれ支持させることにより、この支持フィルム３をケース本体２に吊持させている。
【００２９】
また、この支持フィルム３は、前記シート糊９の荷重を受けてこのシート糊９の下側周面に密着するように変形する。
【００３０】
その一方で、シート糊９が消費のために引き出された際には、図５に対応する図を図９に示すように、シート糊９の径が小さくなる。すると、前記支持フィルム３はこのシート糊９の荷重を受けてこのシート糊９の下側周面に密着した状態を保ち、その際、ケース本体２の後壁２３は、これに追随して前後方向に移動しうる。ここで、シート糊９が消費のために引き出される以前の後壁２３の位置を図９の想像線により示している。
【００３１】
このケース１にシート糊９を収納した状態で運搬ないし長期保管する際には、このケースを立てた状態で、すなわち左外面部２４１又は右外面部２５１のいずれかを接地させた状態でなされることが多い。その際、左外面部２４１を接地させた状態であれば左内面部２４３がシート糊９の荷重を受ける。また、右外面部２５１を接地させた状態であれば右内面部２５３がシート糊９の荷重を受ける。しかして、本実施形態では、図６に示すように、補強部２４４、２５４を左外面部２４１と左内面部２４３との間、及び右外面部２５１と右内面部２５３との間にそれぞれ配していて、しかも補強部前壁２４４ｃ、２５４ｃが左側壁２４又は右側壁２５の厚み方向の略全域にわたって存在しているので、この補強部前壁２４４ｃ、２５４ｃがシート糊９の荷重を受けるリブとして機能し、左側壁２４又は右側壁２５がシート糊９の荷重を受けて変形すること、及びこれを受けてシート糊９の幅方向位置がずれることを防ぐようにしている。
【００３２】
本実施形態に係るケース１は、以上に述べたように、ロール状に巻き取った状態のシート糊９を内部に収納可能な収納空間２ｓを有するケース本体２と、このケース本体２に支持されつつ前記シート糊９を支持する支持フィルム３とを具備し、前記支持フィルム３が、前記収納空間２ｓ内に配され、シート糊９の荷重を受けて該シート糊９の下側周面に該シート糊９の幅寸法全域にわたって密着した状態を保つべく変形可能な支持面３３ａを有する。従って、前記支持面３３ａにシート糊９の下側周面を幅方向全域にわたって密着させることにより、シート糊９の形状を保持させることができる。しかも、この支持面３３ａがシート糊９の荷重により変形するので、シート糊９が引き出された後も支持面がシート糊９の下側周面に密着している状態を保ち、より長い間シート糊９の形状を保持させることができる。すなわち、シート糊９の粘着層をなす粘着剤が押しつぶされ、粘着層が不均一になる不具合、及び、シート糊９の幅方向両端部が下方に垂れてしまう不具合の発生を抑えることができる。
【００３３】
また、前記ケース本体２が、前記支持フィルム３の前端部を支持する前壁２２、及び前記支持フィルム３の後端部を支持する後壁２３を有し、前記前壁２２及び後壁２３に前記支持フィルム３を吊持させているので、支持フィルム３はシート糊９の荷重に耐えられる程度の強度を有しておればよく、そのような強度を保てる範囲で可及的に薄くすることができ、このようなケース１の軽量化を有効に図ることができる。
【００３４】
さらに、前記支持フィルム３が、ロール状に巻かれた前記シート糊９の荷重を受けて変形するので、シート糊９が消費のために引き出されて量が減少した場合に、支持フィルム３が変形するとともに、後壁２３を支持フィルム３に追従させて変形させることにより、支持フィルム３の支持面３３ａがシート糊９の下側周面９ａにより広い面積で密着させることができる。
【００３５】
さらに、支持フィルム３を前記前壁２２及び後壁２３の上端部に掛け回して吊持させ、前記支持フィルム３の案内面部３２の表面の後縁をシート糊９の切断線を案内する案内部３２ａとしているので、前壁２２及び後壁２３のいずれか一方の上方に切断のための刃を設ける態様と比較して、刃がケース本体２に当接して当接箇所に不必要な切れ目が入ることによりケース本体２が破損する不具合は発生せず、従ってこのようなケース１は破損しにくい。その上で、前記案内部３２ａに沿ってカッターナイフ等の切断具を該案内部３２ａの延伸方向に移動させるようにし、シート糊９の切断線を案内させるようにできる。
【００３６】
その上、前記案内部３２ａを、ケース本体２の上端縁よりも下方に設けているので、下側から引き出されるシート糊９の引き出し端から案内部３２ａまでの距離を短くできる。
【００３７】
また、支持フィルム３を、ポリエチレンテレフタラート製のものにしているので、シート糊９が支持面３３ａ上を滑りやすくなり、この点からもシート糊９の引き出しを容易に行うようにすることができる。
【００３８】
加えて、１枚の紙製シートを折り曲げて前記ケース本体２を形成しているので、最小限の部品点数によりこのようなケース１を形成することができる。
【００３９】
そして、シート糊９の左右両端部にそれぞれ対向するケース本体２の左右両端壁２４、２５内部に、紙製シートを折り返して形成した補強部２４４、２５４を設けているので、このようなケース１を立てて収納する際に、左右両端壁がシート糊９の荷重により変形する不具合、及び自重によりシート糊９の幅方向位置がずれる不具合を解消できる。
【００４０】
なお、本発明は以上に述べた実施形態に限られない。
【００４１】
例えば、ケース本体の底面に上面が支持対象物の荷重を受けて変形可能な支持体を載置し、この支持体の上面が支持対象物の下側周面に密着した状態を保つようにしているものが挙げられる。具体的には、ウレタンフォーム等により形成したスポンジ状の支持体をケース本体の底面に載置し、この支持体上に支持対象物を載置する態様等が考えられる。
【００４２】
また、フィルム状の支持体を用いる場合は、支持体が必ずしもポリエチレンテレフタラート製である必要はなく、他の硬質プラスチックを用いるようにしても、支持体をケース本体の前壁及び後壁の上端部に掛け回して吊持させれば、前壁又は後壁の上端部に掛け回した部位が上述した実施形態における案内部と同様の機能を発揮させるようにできる。さらに、シート状をなす布地等を利用して支持体を形成し、この支持体をケース本体の前壁又は後壁の上端部に掛け回して吊持するようにしてもよい。
【００４３】
加えて、前壁又は後壁の高さ寸法は任意に設定してよい。
【００４４】
そして、ケース本体は必ずしもボール紙製である必要はなく、例えば樹脂製シートを折り曲げて形成したものであってもよい。樹脂製シートを折り曲げてケース本体を形成する場合は、上述した実施形態における案内部を設ける替わりに、ケース本体の前壁又は後壁の一方に、支持対象物を切断するための刃を設けてもよい。さらに、ケース本体を必ずしも１枚のシートを折り曲げることにより形成する必要もない。例えば、上述した実施形態における補強部に代えて、左外面部と左内面部との間、及び右外面部と右内面部との間に、ケース本体と別体に設けた補強部材を配するようにしてもよい。
【００４５】
その他、本発明の趣旨を逸脱しない範囲で種々変形が可能である。
【図面の簡単な説明】
【００４６】
【図１】本発明の一実施形態に係るケースにシート糊を収納した状態を示す斜視図。
【図２】同実施形態に係るケースを示す斜視図。
【図３】同実施形態に係るケースを示す平面図。
【図４】同実施形態に係るケースを示す正面図。
【図５】図３におけるｘ−ｘ断面図。
【図６】図４におけるｙ−ｙ断面図。
【図７】同実施形態に係るケース本体の展開図。
【図８】同実施形態に係る支持フィルムの展開図。
【図９】同実施形態に係るケースの作用説明図。
【符号の説明】
【００４７】
１…ケース
２…ケース本体
２ｓ…収納空間
３…支持フィルム（支持体）
３３ａ…支持面
９…シート糊（支持対象物）
【図１】
2008081131.tif 000003
【図２】
2008081131.tif 000004
【図３】
2008081131.tif 000005
【図４】
2008081131.tif 000006
【図５】
2008081131.tif 000007
【図６】
2008081131.tif 000008
【図７】
2008081131.tif 000009
【図８】
2008081131.tif 000010
【図９】
2008081131.tif 000011